(57)【特許請求の範囲】
【請求項１】
画像通信装置の動作モードを指定する動作モード指定手段と；
上記画像通信装置の使用者の音声を入力する音声入力手段と；
上記入力された音声データを、ディジタルデータに変換する変換手段と；
上記使用者を識別するデータを記憶する識別データ記憶手段と；
上記変換手段の出力信号と、上記識別データ記憶手段に記憶されている音声データとに基づいて、話者を識別する話者識別手段と；
上記画像通信装置の動作モード毎に、発信元情報を記憶する発信元情報記憶手段と；
上記話者識別手段によって識別された装置使用者と、上記動作モード指定手段によって指定された動作モードとに対応する発信元情報を、上記発信元情報記憶手段から読み取り出力する発信元情報出力手段と；
上記発信元情報出力手段が出力した上記発信元情報を、送信文書に付加して送信する送信手段と；
を有することを特徴とする画像通信装置。
【請求項２】
請求項１において、
上記話者識別手段は、上記音声入力手段によって入力され、上記変換手段によって変換された変換処理後データによって、装置使用者と上記画像通信装置の動作モードとを識別する手段であることを特徴とする画像通信装置。
【請求項３】
請求項１において、
上記識別データ記憶手段は、装置使用者を識別するデータとして、上記画像通信装置の動作モードに基づくデータを記憶する手段であることを特徴とする画像通信装置。
【請求項４】
画像通信装置の動作モードを指定する動作モード指定手順と；
上記画像通信装置の使用者の音声を、音声入力部が入力する音声入力手順と；
上記入力された音声データを、Ａ／Ｄ変換部がディジタルデータに変換する変換手順と；
上記使用者を識別するデータを記憶する識別データ記憶手順と；
上記変換手順で出力された出力信号と、識別データ記憶手順で記憶された音声データとに基づいて、話者識別処理部が話者を識別する話者識別手順と；
上記画像通信装置の動作モード毎に、発信元情報を記憶する発信元情報記憶手順と；
上記話者識別手順によって識別された装置使用者と、上記動作モード指定手順によって指定された動作モードとに対応する発信元情報を、上記発信元情報記憶手順で記憶された発信元情報から読み取り出力する発信元情報出力手順と；
上記発信元情報出力手順で出力された上記発信元情報を、送信文書に付加して送信する送信手順と；
をコンピュータに実行させるプログラム。
【発明の詳細な説明】
【０００１】
【発明の属する技術分野】
本発明は、ファクシミリ装置等の画像通信装置およびプログラムに関する。
【０００２】
【従来の技術】
図５は、従来のファクシミリ装置ＦＳ１１を示すブロック図である。
【０００３】
従来のファクシミリ装置ＦＳ１１は、ファクシミリ装置ＦＳ１１の全体を制御する主制御部２０１と、ファクシミリ装置ＦＳ１１の動作モードや起動指示等を指定する操作部２０２と、操作部２０２によって指定された動作モード等を表示し、ＬＣＤ等によって構成されている表示部２０３とを有する。
【０００４】
発信元情報処理部２０４は、ファクシミリ送信時のヘッダ送信元情報またはｅ−ｍａｉｌ送信時の送信元情報の処理を行う。発信元情報記憶部２０５は、発信元情報処理部２０４が処理する際の情報を記憶している発信元情報記憶部であり、発信元の部署名または名称等、複数の発信元情報が記憶されている。
【０００５】
画像読取部２０６は、ＣＣＤまたはＣＩＳ等によって構成され、点灯制御によって原稿画像データを読み取る。画像処理部２０７は、画像読取部２０６によって読み取られた画像データに、画像処理、符号化処理等を施す。
【０００６】
画像記録部２０８は、インクジェットプリンタ、レーザビームプリンタ等によって構成される画像記録部であり、受信文書の印字を行う。通信制御部２０９は、画像処理部２０７によって処理された原稿画像の符号データを制御する。通信回線２１０は、通信制御部２０９による符号データが送出される。
【０００７】
次に、従来のファクシミリ装置ＦＳ１１の動作について説明する。
【０００８】
図６は、従来のファクシミリ装置ＦＳ１１における送信動作を示すフローチャートである。
【０００９】
ファクシミリ送信時に、送信原稿設定（Ｓ３０１）、動作モード設定（Ｓ３０２）、発信元情報の選択（Ｓ３０３）、送信先指示（Ｓ３０４）、送信開始起動指示（Ｓ３０５）がなされると、原稿画像の送信処理を開始する。
【００１０】
Ｓ３０２における動作モード設定は、たとえばファクシミリ送信またはｅ−ｍａｉｌ送信の切換えである。Ｓ３０３における設定は、発信元情報を複数記憶している装置における発信元指定であり、操作部２０２に構成されている操作キーによる設定で、使用者が所属している部署名または自分の名前を選択する。上記選択による発信元情報は、送信先の受信文書において、発信元情報として記載される。
【００１１】
次に、従来のファクシミリ装置ＦＳ１１において、ファクシミリ送信時における発信元情報の記載例について説明する。
【００１２】
図７は、従来のファクシミリ装置ＦＳ１１において、ファクシミリ送信時における発信元情報の記載例を示す図である。
【００１３】
図７に示す記載例において、項目７０１は、ステップＳ３０３において、使用者が発信元情報を選択することによって記載される項目であり、項目７０１のＦｒｏｍ項以下の記載情報が、ファクシミリ送信時の発信元情報に相当する。すなわち、ステップＳ３０３で使用者が設定した発信元情報は、ＡＡＡである。
【００１４】
従来装置は、ステップＳ３０５で送信開始起動指示がなされると、原稿画像データの送信処理を開始する。すなわち、画像読取部２０６が原稿画像データを読み取り（Ｓ３０６）、この読み取られた画像データを、画像処理部２０７が送信モードに応じて符号化処理する（Ｓ３０７）。画像処理部２０７が生成した符号データは、主制御部２０１によるＤＭＡ（Ｄｉｒｅｃｔ  Ｍｅｍｏｒｙ  Ａｃｃｅｓｓ）転送等によって、通信制御部２０９に転送される。この転送された符号データを、通信制御部２０９が制御し、通信回線２１０に順次、出力する（Ｓ３０８）。上記従来装置は、原稿画像データの全ての符号データの送信が完了するまで、ステップＳ３０６〜Ｓ３０８の処理を繰り返し実行する（Ｓ３０９）。
【００１５】
次に、従来装置におけるｅ−ｍａｉｌ送信時の動作について説明する。
【００１６】
図８は、従来装置におけるｅ−ｍａｉｌ送信時の動作を示すフローチャートである。
【００１７】
従来装置は、動作モード選択（Ｓ４０１）、発信元選択（Ｓ４０２）、送信先指示（Ｓ４０３）、ｅ−ｍａｉｌ文書の作成（Ｓ４０４）、送信指示（Ｓ４０５）が実行されると、作成されたｅ−ｍａｉｌ文書の送信を行う。
【００１８】
動作モード選択（Ｓ４０１）は、ステップＳ３０２での選択と同様に、ファクシミリ送信またはｅ−ｍａｉｌ送信の切換えである。すなわち、図８に示すフローチャートでは、ｅ−ｍａｉｌ送信が選択される。
【００１９】
発信元選択（Ｓ４０２）は、発信元情報を複数記憶している装置における発信元選択であり、操作部２０２に構成されている操作キーによる選択によって、使用者が所属している部署名宛または使用者宛のメールアドレスを選択する。
【００２０】
上記のように、発信元情報を選択すると、送信先の受信ｅ−ｍａｉｌ文書に、上記選択された発信元情報が記載される。
【００２１】
図９は、上記従来例において、ｅ−ｍａｉｌ送信時における発信元情報の記載例を示す図である。
【００２２】
項目８０１は、使用者が発信元情報を選択することによって記載される項目であり、項目８０１以下のメールアドレスが、ｅ−ｍａｉｌ送信時の発信元情報に相当する。つまり、発信元情報は、メールアドレス“ａａａ＠ｌｍｎ．ｏｐｑｒ．ｎｅ．ｊｐ”である。
【００２３】
【発明が解決しようとする課題】
しかし、上記従来例では、発信元情報記憶部２０５に発信元情報が多数登録されている場合、ファクシミリ送信時、またはｅ−ｍａｉｌ送信時に、発信元情報を指定する操作が煩雑であるという問題がある。
【００２４】
また、上記従来例では、操作部２０２に、複数のワンタッチキーを設け、それぞれに対応して発信元を登録し、上記複数のワンタッチキーのいずれかを押すことによって、発信元を指定するようにした場合、発信元が多ければ、それに応じてワンタッチキーの数を多数設ける必要があり、装置全体のコストが上がるという問題がある。
【００２５】
さらに、上記従来例では、ファクシミリ送信動作、ｅ−ｍａｉｌ送信動作ともに、送信する毎に、上記煩雑な発信元指定操作と、送信動作モードの指定とを実行する必要があり、全体としても、その操作が煩雑であるという問題がある。
【００２６】
上記問題は、ファクシミリ装置以外の画像通信装置においても生じる問題である。
【００２７】
本発明は、発信元情報が複数記憶されている場合に、使用する度に、面倒な発信元情報を指定しなくても、発信元情報が自動的に指定される画像通信装置およびプログラムを提供することを目的とするものである。
【００２８】
また、本発明は、発信元情報を指定する場合、装置の操作部等に特別なキーを設ける必要がなく、装置コストを抑えることができる画像通信装置およびプログラムを提供することを目的とするものである。
【００２９】
さらに、本発明は、動作モードに応じた発信元情報を自動的に付加することができる画像通信装置およびプログラムを提供することを目的とするものである。
【００３０】
【課題を解決するための手段】
本発明は、画像通信装置の動作モードを指定する動作モード指定手段と、上記画像通信装置の使用者の音声を入力する音声入力手段と、上記入力された音声データを、ディジタルデータに変換する変換手段と、上記使用者を識別するデータを記憶する識別データ記憶手段と、上記変換手段の出力信号と、上記識別データ記憶手段に記憶されている音声データとに基づいて、話者を識別する話者識別手段と、上記画像通信装置の動作モード毎に、発信元情報を記憶する発信元情報記憶手段と、上記話者識別手段によって識別された装置使用者と、上記動作モード指定手段によって指定された動作モードとに対応する発信元情報を、上記発信元情報記憶手段から読み取り出力する発信元情報出力手段と、上記発信元情報出力手段が出力した上記発信元情報を、送信文書に付加して送信する送信手段とを有する画像通信装置である。
【００３１】
【発明の実施の形態および実施例】
図１は、本発明の一実施例であるファクシミリ装置ＦＳ１の構成を示す図である。
【００３２】
ファクシミリ装置ＦＳ１において、主制御部１０１と、複数のキーによって構成されている操作部１０２と、ＬＣＤ等によって構成される表示部１０３とを有する。
【００３３】
音声入力部１０４は、ファクシミリ装置ＦＳ１の使用者を特定する音声入力部であり、装置構成の一部であるハンドセットまたは専用に設けたマイク等の音声入力装置によって構成されている。Ａ／Ｄ変換部１０５は、音声入力部１０４によって入力される音声データをＡ／Ｄ変換するＡ／Ｄ変換部であり、入力されるアナログ音声データを、所定のサンプリングタイミングによってディジタル信号に変換する。
【００３４】
話者識別パラメータ記憶部１０６は、Ａ／Ｄ１０５が出力するディジタル出力信号に基づいて話者特定するパラメータを記憶する。話者識別処理部１０７は、Ａ／Ｄ１０５が出力するディジタルデータと、話者識別パラメータ記憶部１０６に記憶した話者識別パラメータとを比較することによって、話者特定を行う。話者特定処理部１０７は、使用者の音声入力に基づいて話者特定すると、識別結果を後段処理部に出力する。
【００３５】
発信元情報記憶部１０８は、ファクシミリ送信時またはｅ−ｍａｉｌ送信時に付加する発信元情報を記憶している。発信元情報処理部１０９は、話者識別処理部１０７が識別した話者と、識別された話者に対応し発信元情報記憶部１０８に記憶されている発信元情報とを照らし合わせ、一致した場合に、主制御部１０１に情報を送出する。
【００３６】
発信元情報処理部１０９が出力する発信元情報は、ファクシミリ送信時であれば、ファクシミリ受信文書に記載されるヘッダ情報であり、ｅ−ｍａｉｌ送信時であれば、発信元のアカウント（以下、ｅ−ｍａｉｌアドレス）となる。画像読取部１１０は、ＣＣＤまたはＣＩＳによって構成され、点灯制御によって原稿画像データの読み取りを行う。
【００３７】
画像処理部１１１は、画像読取部１１０によって読み取った画像データに、画像処理、符号化処理を施す。画像記録部１１２は、インクジェットプリンタまたはレーザビームプリンタ等によって構成され、受信時の文書出力を行う。通信制御部１１３は、画像処理部１１１が出力した符号データを制御する。通信回線１１４は、通信制御部１１３が制御した符号データを送出する。
【００３８】
図２は、ファクシミリ装置ＦＳ１がファクシミリ送信する動作を示すフローチャートである。
【００３９】
ファクシミリ送信時に、ファクシミリ装置ＦＳ１に送信原稿が設定され（Ｓ１０１）、動作モードがファクシミリ送信モードに設定されると（Ｓ１０２）、ファクシミリ装置ＦＳ１は、使用者識別のための音声認識動作に移行する（Ｓ１０３）。
【００４０】
具体的には、音声入力部１０４によって使用者の音声が入力されると、Ａ／Ｄ１０５が、所定サンプリングタイミングで、入力アナログ音声信号をディジタル信号に変換する。話者識別処理部１０７は、ディジタル変換された音声信号と、話者識別パラメータ記憶部１０６に記憶されているパラメータとに基づいて、話者を識別する（Ｓ１０３）。
【００４１】
ファクシミリ装置ＦＳ１において、話者識別処理部１０７による話者識別手法を一手法に限定するものではなく、話者特定可能な手法であれば、他の話者識別手法を採用するようにしてもよい。すなわち、Ａ／Ｄ１０５が出力する話者の音声信号パターンと、話者識別パラメータ記憶部１０６に記憶したデータパターンとのパターンマッチングによる識別でもよく、話者を特定させるための音素データを、使用者によって予め入力することによる比較識別を採用するようにしてもよい。
【００４２】
話者識別処理部１０７による話者識別データは、発信元情報処理部１０９に出力される。発信元情報処理部１０９は、話者識別処理部１０７による識別結果を受け、発信元情報記憶部１０８に記憶したデータとの相関関係を調べる。発信元情報記憶部１０８に記憶されているファクシミリ送信時における発信元情報の中に、話者識別処理部１０７による話者識別結果があれば、発信元情報処理部１０９は、識別話者に対応した発信元情報を、主制御部１０１に知らせる。
【００４３】
すなわち、ファクシミリ受信文書に印字される電話番号、発信元略称等のヘッダ情報を、主制御部１０１に出力する。発信元情報処理部１０９が主制御部１０１に出力する割り込み制御によって、主制御部１０１へ情報を出力するようにしてもよく、また、発信元情報処理部１０９内部に構成したレジスタを、所定タイミングで主制御部１０１が読み取るようにしてもよい。
【００４４】
主制御部１０１は、発信元情報処理部１０９からの発信元情報を受けると、送信文書のヘッダ情報に、発信元情報、すなわち発信元情報記憶部１０８に記憶されている発信元の部署名または発信元略称等を、送信文書に付加する。
【００４５】
音声認識処理が終了した後に、送信先指示（Ｓ１０４）、送信指示（Ｓ１０５）が行われると、ファクシミリ装置ＦＳ１は、ファクシミリ送信動作を開始する。すなわち、画像読取部１１０は、ファクシミリ装置ＦＳ１に設定されている原稿の画像データを読み取り（Ｓ１０６）、この読み取った画像データは、画像処理部１１１によって、画像処理、送信モードに応じた画像処理が施される（Ｓ１０７）。画像処理部１１１によって符号化された原稿画像データは、主制御部１０１の制御によって、通信制御部１１３に転送される。
【００４６】
通信制御部１１３は、転送される符号データを制御し、順次通信回線１１４に出力する。ファクシミリ装置ＦＳ１は、原稿画像データの全ての符号データが通信回線に出力されるまで、ステップＳ１０６〜ステップＳ１０８の処理を繰り返す（Ｓ１０９）。
【００４７】
次に、ファクシミリ装置ＦＳ１がｅ−ｍａｉｌ送信する動作について説明する。
【００４８】
図３は、ファクシミリ装置ＦＳ１がｅ−ｍａｉｌ送信する動作を示すフローチャートである。
【００４９】
ファクシミリ装置ＦＳ１の使用者によって動作モードがｅ−ｍａｉｌ送信モードに設定されると（Ｓ２０１）、ファクシミリ装置ＦＳ１は、使用者を識別するための音声認識動作に移行する（Ｓ２０２）。
【００５０】
音声認識は、ファクシミリ送信時の処理動作と同一であるので、ここでの説明は省略するが、ｅ−ｍａｉｌ送信時においても、音声認識手法自体に関する制限はない。
【００５１】
発信元情報処理部１０９は、話者識別処理部１０７が識別した話者に対応する発信元情報が、発信元情報記憶部１０８に存在するか否かを調べる。
【００５２】
発信元情報処理部１０９は、使用者に対応した発信元情報、すなわちｅ−ｍａｉｌ送信動作であれば、ｅ−ｍａｉｌアドレスまたは登録されている発信元略称等が、発信元情報記憶部１０８に存在する場合、対応する発信元情報を主制御部１０１に知らせる。
【００５３】
主制御部１０１へ発信元情報を通達する場合、ファクシミリ送信時と同様に、主制御部１０１へ割り込み処理して通達するようにしてもよく、また、主制御部１０１が所定タイミングで、発信元情報処理部１０９内部に構成したレジスタ値を読み取るようにしてもよい。
【００５４】
主制御部１０１は、発信元情報処理部１０９から発信元情報を受けると、ｅ−ｍａｉｌ文書中の発信元情報が記載される箇所に、受信した発信元情報を自動的に挿入する。使用者が、送信先指示（Ｓ２０３）、ｅ−ｍａｉｌ文書作成（Ｓ２０４）、送信指示（Ｓ２０５）すると、ファクシミリ装置ＦＳ１は、作成されたｅ−ｍａｉｌ文書を送信する。
【００５５】
次に、動作モード指示と話者識別とを同時に行う場合について説明する。
【００５６】
上記説明においては、ファクシミリ送信時とｅ−ｍａｉｌ送信時とのそれぞれの場合の動作について説明したが、ファクシミリ装置ＦＳ１は、個別送信動作に限定されるものではない。すなわち、動作モード指示と話者識別とを同時に行うようにしてもよい。
【００５７】
たとえば、ファクシミリ送信する場合、音声入力部１０４に、「ファクシミリ送信」と音声入力する。話者識別処理部１０７は、音声入力部１０４に音声入力した音声データと、話者識別パラメータ記憶部１０６に記憶されている動作モードの音声データとを比較する。話者識別処理部１０７は、音声入力した話者の識別が完了すると、識別話者情報と指示された動作モード情報とを、発信元情報処理部１０９に出力する。
【００５８】
発信元情報処理部１０９は、話者識別処理部１０７による識別話者と指示された動作モードとを受け、対応する発信元情報が発信元情報記憶部１０８に記憶されているか否かを調べる。
【００５９】
音声入力部１０４に入力された音声に対応する発信元情報が、発信元情報記憶部１０８に記憶されていれば、発信元情報処理部１０９は、指示された動作モードに対応する発信元情報を、主制御部１０１に出力する。
【００６０】
たとえば、「ファクシミリ送信」という音声入力に基づいて、話者が識別された場合、受信文書に記載されるヘッダ情報である発信元の部署名または発信元略称が、主制御部１０１に出力される。また、「ｅ−ｍａｉｌ送信」という音声入力に基づいて、話者が識別された場合、ｅ−ｍａｉｌ作成文書中の発信元が記載される箇所に、挿入されるｅ−ｍａｉｌアドレスまたは発信元略称が、主制御部１０１に出力される。
【００６１】
話者識別処理部１０７において、音声入力部１０４に入力される音声データのＡ／Ｄ変換後データと、話者識別パラメータ記憶部１０６に記憶されているパラメータとが一致しない場合、すなわち、ファクシミリ装置ＦＳ１に登録されていない話者に、ファクシミリ装置ＦＳ１が使用された場合、ファクシミリ装置ＦＳ１は、使用者の新規登録動作を開始する。
【００６２】
図４は、上記実施例において、新規登録動作を示すフローチャートである。
【００６３】
使用者が新規登録動作を希望する場合、ファクシミリ装置ＦＳ１は、使用者に登録音声データの入力を促す（Ｓ５０１）。
【００６４】
すなわち、上記説明中において、話者識別と動作モード指示とを同時に行う場合、「ファクシミリ送信」という音声、または「ｅ−ｍａｉｌ送信」という音声入力を促す。ファクシミリ装置ＦＳ１は、音声データが正しく入力されると、Ａ／Ｄ１０５が、所定サンプリングタイミングでサンプリングし、入力音声データがディジタルデータに変換される（Ｓ５０２）。話者識別処理部１０７は、入力された音声データに関するＡ／Ｄ変換後の音声データを、話者識別認識データとして話者識別パラメータ記憶部１０６に記憶する（Ｓ５０３）。
【００６５】
話者識別認識データが、話者識別パラメータ記憶部１０６に記憶されると、ファクシミリ装置ＦＳ１は、入力された音声データに対応する発信元情報を入力することを促す。つまり、ファクシミリ送信であれば、所属部署名、個人名または電話番号等の入力を促し、ｅ−ｍａｉｌ送信であれば、ｅ−ｍａｉｌアドレスまたは発信元略称の入力を促す。音声入力部１０４に入力すべき音声と、対応する発信元情報とが入力されると、新規登録動作を終了する（Ｓ５０４）。
【００６６】
なお、上記実施例は、ファクシミリ送信動作と、ｅ−ｍａｉｌ送信動作との場合であるが、上記動作モード以外の場合に、上記実施例を適用するようにしていもよい。ファクシミリ装置以外の画像通信装置に、上記実施例を適用することができる。つまり、装置の動作モードと発信元情報等の固有情報とが対応している動作モードに、上記実施例を適用することができる。
【００６７】
なお、上記実施例をプログラムの発明として把握することができる。つまり、上記実施例は、画像通信装置の動作モードを指定する動作モード指定手順と、上記画像通信装置の使用者の音声を入力する音声入力手順と、上記入力された音声データを、ディジタルデータに変換する変換手順と、上記使用者を識別するデータを記憶する識別データ記憶手順と、上記変換手順で出力された出力信号と、識別データ記憶手順で記憶された音声データとに基づいて、話者を識別する話者識別手順と、上記画像通信装置の動作モード毎に、発信元情報を記憶する発信元情報記憶手順と、上記話者識別手順で識別した結果に応じて、発信元情報を出力する発信元情報出力手順と、原稿画像データを読み取る画像読取手順と、上記画像読取手順で出力された画像データを画像処理する画像処理手順と、上記画像処理手順で出力された符号データを制御する通信制御手順と、受信文書等出力する画像記録手順とをコンピュータに実行させるプログラムの例である。
【００６８】
【発明の効果】
本発明によれば、装置使用者の音声に基づいて話者を特定し、この特定された話者と、装置に設定されている動作モードに応じた発信元情報とを自動的に選択付加するので、発信元情報が複数記憶されている場合に、使用する度に、面倒な発信元情報を指定しなくても、発信元情報が自動的に指定されるという効果を奏する。
【００６９】
また、本発明によれば、発信元情報を指定する場合、使用者の音声データを使用するので、装置の操作部等に特別なキーを設ける必要がなく、装置コストを抑えることができるという効果を奏する。
【００７０】
さらに、本発明によれば、画像通信装置の動作モードと話者認識とを同時に行うので、動作モードに応じた発信元情報を自動的に付加できるという効果を奏する。
【図面の簡単な説明】
【図１】本発明の一実施例であるファクシミリ装置ＦＳ１の構成を示す図である。
【図２】ファクシミリ装置ＦＳ１がファクシミリ送信する動作を示すフローチャートである。
【図３】ファクシミリ装置ＦＳ１がｅ−ｍａｉｌ送信する動作を示すフローチャートである。
【図４】上記実施例において、新規登録動作を示すフローチャートである。
【図５】従来のファクシミリ装置ＦＳ１１を示すブロック図である。
【図６】従来のファクシミリ装置ＦＳ１１における送信動作を示すフローチャートである。
【図７】従来のファクシミリ装置ＦＳ１１において、ファクシミリ送信時における発信元情報の記載例を示す図である。
【図８】従来装置におけるｅ−ｍａｉｌ送信時の動作を示すフローチャートである。
【図９】上記従来例において、ｅ−ｍａｉｌ送信時における発信元情報の記載例を示す図である。
【符号の説明】
１０１…主制御部、
１０２…操作部、
１０３…表示部、
１０４…音声入力部、
１０５…Ａ／Ｄ変換部、
１０６…話者識別パラメータ記憶部、
１０７…話者識別処理部、
１０８…発信元情報記憶部、
１０９…発信元情報処理部、
１１０…画像読取部、
１１１…画像処理部、
１１２…画像記録部、
１１３…通信制御部。
【図１】
0003605068.tif 000002
【図２】
0003605068.tif 000003
【図３】
0003605068.tif 000004
【図４】
0003605068.tif 000005
【図５】
0003605068.tif 000006
【図６】
0003605068.tif 000007
【図７】
0003605068.tif 000008
【図８】
0003605068.tif 000009
【図９】
0003605068.tif 000010